(57)【特許請求の範囲】
【請求項１】
半球形状のニット帽子であって、
ニット帽子の天頂部よりも額側に複数の縫合ラインが至る位置である縫合中心位置があり、
ニット帽子の開口縁の第１ラインと、ニット帽子の天頂部から当該第１ラインへ垂直に引いた第２ラインとの交点と、前記縫合中心位置とを結んだ傾斜角度が、第１ラインを基準として５０°〜８０°の範囲であることを特徴とするニット帽子。
【請求項２】
前記縫合中心位置が、ニット帽子着用時に着用者の頭頂部に位置する、請求項１に記載のニット帽子。
【請求項３】
筒状の編地の一方開口部を閉じて半球形状に形成し、ニット帽子の天頂部よりも額側に複数の縫合ラインが至る位置である縫合中心位置が形成されるように縫製するニット帽子の製造方法であって、
ニット帽子の開口縁の第１ラインと、ニット帽子の天頂部から当該第１ラインへ垂直に引いた第２ラインとの交点と、前記縫合中心位置とを結んだ傾斜角度が、第１ラインを基準として５０°〜８０°の範囲である、ニット帽子の製造方法。
【発明の詳細な説明】
【技術分野】
【０００１】
本発明は、例えば防寒用の帽子に関する。より詳細には、ニット帽子に関する。
【背景技術】
【０００２】
従来のニット帽子は、着用者の頭頂に合うように半球形状に形成され、半球形の中心位置の帽子天頂部５５（図５、非着用時のニット帽子の側面図）で縫合をしていた（例えば、非特許文献１）。そして、通常、ニット帽子は、前方から後方にかけて斜めにかぶる。そのため、図５の帽子側面図に示すように、帽子着用時には、この縫合位置（帽子天頂部５５）が頭後側に位置することになる。
【０００３】
しかし、長時間着用や激しい動きに伴って、ニット帽子が頭後方から頭前方へ移動し、ニット帽子の開口部分が額から目へかかることがあった。すなわち、長時間着用や激しい動きの中でニット帽子が頭後方から頭前方へ次第にずれでいき、視界を妨げることがあった。
【先行技術文献】
【非特許文献】
【０００４】
【非特許文献１】Ｙａｈｏｏオンラインショッピング、平成２４年３月２７日検索、インターネットホームページｈｔｔｐ：／／ｓｔｏｒｅ．ｓｈｏｐｐｉｎｇ．ｙａｈｏｏ．ｃｏ．ｊｐ／ｅｘａｓ／ｑ２．ｈｔｍｌ
【発明の概要】
【発明が解決しようとする課題】
【０００５】
本発明は上記課題に鑑みてなされたものであって、その目的は、長時間着用時や激しい動きの中でも帽子が視界を妨げる方向（頭前方）へズレることを抑制できる帽子（ニット帽子）を提供することにある。
【課題を解決するための手段】
【０００６】
本発明者は、帽子の形状からその縫合部が頭頂部にあるのが最も安定すると考え、帽子の縫合部の位置を帽子の天頂部よりも額側にオフセットさせることで上記課題を解決することを新たに見出した。
【０００７】
本発明は、半球形状（半球形部と筒部が合体した形状を含む）のニット帽子であって、ニット帽子の天頂部よりも額側に複数の縫合ラインが至る位置である縫合中心位置があることを特徴とする。
【０００８】
この構成によれば、ニット帽子の天頂部よりも額側に縫合中心位置が位置することで、ニット帽子着用時に縫合部と頭頂部とをあらかじめ一致させて、ニット帽子が額側へズレることがなく安定した着用を長時間維持でき、また、激しい動きの中でもニット帽子が視界を妨げる方向（頭前方）へズレることを効果的に抑制できる。
【０００９】
上記発明において、ニット帽子は、編地のニット帽子であることが好ましく、編地が１重でもよく２重でもよく、編地の中に中間層（１層または１層以上）が挿入（全ての部位にあるいは部分的に挿入）されていてもよい。中間層は、例えば、フェルト、不織布、生地、プラスチックフィルムであってもよい。ニット帽子は、鍔部が設けられていてもよく、耳あて部が設けられていてもよい。また、ニット帽子に、装飾（例えば、ぼんぼん）が取り付けられていてもよい。ニット帽子は、冬用に限らず、春夏秋用の薄い編地で構成されていてもよい。
【００１０】
上記発明の一実施形態として、前記縫合中心位置が、ニット帽子着用時に着用者の頭頂部（あるいは頭頂部近傍）に位置することが好ましい。着用者の個人差によって縫合中心位置が頭頂部と完全に一致することが難しい場合もあるが、縫合部中心位置が略頭頂部、頭頂部近傍にあっても上記作用効果を有するものである。
【００１１】
本発明は、ニット帽子の開口縁の第１ラインと、ニット帽子の天頂部から当該第１ラインへ垂直に引いた第２ラインとの交点と、前記縫合中心位置とを結んだ傾斜角度（α）が、第１ラインを基準として５０°〜８０°の範囲である。
【００１２】
この構成によれば、ニット帽子着用時に縫合中心位置を頭頂部（または略頭頂部）に位置させることができる。αは、５５°〜７５°がより好ましい。
【００１３】
他の本発明のニット帽子の製造方法は、筒状の編地の一方開口部を閉じて半球形状（半球形部と筒部が合体した形状を含む）に形成し、ニット帽子の天頂部よりも額側に複数の縫合ラインが至る位置である縫合中心位置が形成されるように縫合する。製造されたニット帽子は、ニット帽子の開口縁の第１ラインと、ニット帽子の天頂部から当該第１ラインへ垂直に引いた第２ラインとの交点と、前記縫合中心位置とを結んだ傾斜角度が、第１ラインを基準として５０°〜８０°の範囲である。また、縫合する前に、半球形状にするために余分な編地部分を切断することが好ましく、または縫合中心位置で縫合した後に、縫合製中心部に生じた余分な編地を切断して取り除いてもよい。
【００１４】
ニット帽子の原材料となる編地は、特に限定されず、例えば、ウール、獣毛、コットン、化学繊維（アクリル、ナイロン、ポリエステル、レーヨン）などの糸で編まれた生地が挙げられる。編地の編み方法は、特に制限されない。編地は、円筒状に編んでもよく、平たい編地を縫い合わせて筒状に形成してもよい。
【図面の簡単な説明】
【００１５】
【図１】本発明の非着用時のニット帽子の顔側の正面図である。
【図２Ａ】本発明の非着用時のニット帽子の側面図である。
【図２Ｂ】本発明の着用時のニット帽子の側面図である。
【図３】本発明の非着用時のニット帽子を上から見た平面図である。
【図４】非着用時の縫製中心位置を傾斜角度を用いて説明するための図である。
【図５】従来の非着用時のニット帽子の側面部（従来の縫製中心位置を説明するため部）である。
【発明を実施するための形態】
【００１６】
本実施形態のニット帽子について、図面を参照しながら説明する。図１は、非着用時のニット帽子１の顔側から見た正面図である。図２Ａは、非着用時のニット帽子の側面図である。図２Ｂは、着用時のニット帽子の側面図である。図３は、非着用時のニット帽子を上から見た平面図である。図４は、非着用時の縫合中心位置１５を傾斜角度（α）を用いて説明した図である。
【００１７】
図１〜３で示すように、本実施形態のニット帽子１は、半球形状である。ニット帽子１の天頂部１１（半球形の天頂位置）よりも額側（顔面側）に縫合中心位置１５がある。図２Ｂに示すように、ニット帽子１を着用したときに、この縫合中心位置１５が着用者の頭頂部Ａの位置にくる。これによって、ニット帽子１の天頂部１１よりも額側に縫合中心位置１５が位置することで、ニット帽子１の頭前部へのズレが生じにくくなり、長時間着用時や激しい動きの中でもニット帽子１が視界を妨げる方向（頭前方）へニット帽子１がズレることを抑制できる。
【００１８】
また、縫合中心位置１５から６本の縫合ライン１２ａ〜１２ｆが示されている。半球形にするために円筒の編地を切断し、上記縫合ラインで縫合している。縫合ラインは６本に限定されず、半球形に形成できれば、それよりも少なくてもよく多くてもよい。
【００１９】
また、ニット帽子１には、耳あて部１７、１８が形成されている。耳あて部１７、１８は、この形状に制限されず、他の形状でもよく、または耳あて部を設けなくてもよい。
【００２０】
ニット帽子１の縫合中心位置１５が、ニット帽子着用時に着用者の頭頂部に位置させるために、縫合中心位置１５を所定の傾斜角度αの範囲に形成することが好ましい。図４において、ニット帽子１の開口下端の第１ラインＸと、ニット帽子１の天頂部１１から当該第１ラインＸへ垂直に引いた第２ラインＹとで交点Ｐを形成する。この交点Ｐと、縫合中心位置１５とを結んだ傾斜角度αが、第１ラインＸを基準として５０°〜８０°の範囲である。本実施形態では（図４では）、αが６８°である。着用者の頭部形状はさまざまであり、かつ着用位置もさまざまであるため、傾斜角度αを５０°〜８０°の範囲に設定し、帽子サイズまたは耳あて部の有無、鍔部の有無に応じて傾斜角度αを設定する。
【００２１】
（製造方法）
ニット帽子１の製造方法は、筒状の編地の一方開口部を閉じて半球形状に形成し、次いで、ニット帽子１の天頂部１１よりも額側に縫合中心位置１５が形成されるように縫合する。半球形にするために円筒の編地を切断し、縫合ライン１２ａ〜１２ｆで縫合する。
【００２２】
ニット帽子１の原材料となる編地は、特に限定されず、例えば、ウール、獣毛、コットン、化学繊維（アクリル、ナイロン、ポリエステル、レーヨン）などの単糸、あるいは混糸で編まれた生地が挙げられる。編地の編み方法は、特に制限されないが、例えば、ラッセル編み、フライス編み、天竺編み、丸編み、メッシュ編み（レース編み）等があげられる。編地は、円筒状に編んでもよく、平たい編地を縫い合わせて筒状に形成してもよい。
【符号の説明】
【００２３】
１              ニット帽子
１１            天頂部
１５            縫合中心位置（縫合中心部）
１７、１８      耳あて部
【図１】
0005798079.tif 000002
【図２Ａ】
0005798079.tif 000003
【図２Ｂ】
0005798079.tif 000004
【図３】
0005798079.tif 000005
【図４】
0005798079.tif 000006
【図５】
0005798079.tif 000007